(57)【要約】【課題】本発明の課題は、配線媒体数の削減を図るとともに、配線形態の煩雑さを抑制することにより、施工性の向上と施工コストの削減を実現する光ファイバ伝送システムを提供することにある。【解決手段】本発明は、放送サービスおよびＩＰサービスやユーザにそれぞれ波長を割り当て、一本の光ファイバを介して波長分割多重伝送する光ファイバ伝送システムにおいて、ユーザ宅内で光配線する各部屋にそれぞれ異なる波長を割り当て一本の光ファイバを介して波長分割多重伝送することを特徴とするものである。【選択図】図１
2006074137.tif 000002
【特許請求の範囲】
【請求項１】
放送サービスおよびＩＰサービスやユーザにそれぞれ波長を割り当て、一本の光ファイバを介して波長分割多重伝送する光ファイバ伝送システムにおいて、ユーザ宅内で光配線する各部屋にそれぞれ異なる波長を割り当て一本の光ファイバを介して波長分割多重伝送することを特徴とする光ファイバ伝送システム。
【請求項２】
放送サービスおよびＩＰサービスやユーザにそれぞれ波長を割り当て、一本の光ファイバを介して波長分割多重伝送する光ファイバ伝送システムにおいて、ユーザ宅内で光配線する各部屋に少なくとも一つのサービスに対してすべて異なる波長を割り当て一本の光ファイバを介して波長分割多重伝送することを特徴とする光ファイバ伝送システム。
【請求項３】
ユーザ宅内で光スプリッタを用いて各部屋に光配線することを特徴とする請求項１又は２に記載の光ファイバ伝送システム。
【請求項４】
光ファイバを介して伝送される光信号は、ＣＷＤＭシステムの波長帯、および６５０ｎｍ帯、７８０ｎｍ帯、８５０ｎｍ帯のうち少なくとも一つの波長帯に属する波長をもつことを特徴とする請求項１、２又は３に記載の光ファイバ伝送システム。
【請求項５】
伝送される光信号から、ユーザ宅内の各部屋において所定の波長を取り出すことができる機能を具備することを特徴とする請求項１、２，３又は４に記載の光ファイバ伝送システム。
【発明の詳細な説明】
【技術分野】
【０００１】
本発明は、主に小規模住宅あるいは戸建住宅などのユーザ宅内において、放送・ＩＰサービスやユーザにそれぞれ波長を割り当て、一本の光ファイバを介して波長分割多重伝送する光ファイバ伝送システムに関するものである。
【０００２】
本発明の光ファイバ伝送システムは、例えば各部屋に伝送するＩＰサービス（インターネット接続サービス）の光信号に対してすべて異なる波長を割り当ててＷＤＭ（波長分割多重）伝送する場合などに適用される。
【背景技術】
【０００３】
近年、小規模住宅および戸建住宅において、光ファイバを用いたＩＰサービスを利用することができるようになっている。また、ＶＨＦ放送、ＵＨＦ放送、ＢＳ放送、ＣＳ放送、ＣＳ１１０度放送、ＣＡＴＶ放送等といった異なる放送サービスも利用することができるようになっている。
【０００４】
図２は従来の情報配線システムを示す構成説明図である。すなわち、ＶＨＦ放送用アンテナ１１およびＵＨＦ放送用アンテナ１２はＵ／Ｖ混合器（ＵＨＦ／ＶＨＦ混合器）１３を介して同軸ケーブルによりブースタ１４の入力端に接続される。前記ブースタ１４の入力端にはＢＳ放送およびＣＳ１１０度放送兼用アンテナ１５が接続される。前記ブースタ１４の出力端は分配器１６を介してそれぞれ対応した各部屋１，２，３の放送用コンセント１７に同軸ケーブルにより接続される。この放送用コンセント１７にはテレビ受信機１８等が接続される。
【０００５】
また、ユーザ宅内に屋外キャビネット１９を介して引き込まれた光ファイバ２０は光終端装置（Ｂ−ＯＮＵ）２１の入力端に接続され、この光終端装置（Ｂ−ＯＮＵ）２１の出力端はルータ２２を介してそれぞれ対応した各部屋１，２，３のアウトレット２３までＵＴＰ（Ｕｎｓｈｉｅｌｄ  Ｔｗｉｓｔ  Ｐａｉｒ）などを用いて配線される。前記アウトレット２３にはパソコン２４等が接続される。
【０００６】
また、ユーザ宅内に屋外キャビネット１９を介して引き込まれた電話線２５はマルチ接続装置２６を介してそれぞれ対応した各部屋１，２，３のローゼット２７に電話線により接続される。前記ローゼット２７には電話機２８が接続される。
【０００７】
この場合、光ファイバにより伝送されたアクセスネットワークからのＩＰサービスの光信号はユーザ宅内のある部屋において光終端装置（Ｂ−ＯＮＵ）２１を使用して電気信号に変換される。光終端装置（Ｂ−ＯＮＵ）２１で変換された電気信号はＵＴＰなどを用いて各部屋１，２，３のパソコン等まで伝送される。
【０００８】
一方、複数の放送サービスが混在する複数の信号伝送路を一箇所に集中する情報分電盤が使用される。この情報分電盤は、住宅内の天井裏または壁裏に配置され、そこから各部屋にＶＨＦ／ＵＨＦ兼用同軸ケーブル、ＢＳ／ＣＳ兼用同軸ケーブル、ＣＡＴＶ用同軸ケーブルが敷設され、各同軸ケーブルの端末にそれぞれの部屋で必要なチューナ等の接続機器に対応する放送用コンセントが取り付けられる。前記情報分電盤は、ブースタおよび分配器を備え、入力信号をブースタにて充分な分配信号が得られるレベルまで増幅し、この増幅信号を分配器にて分配して各同軸ケーブルに出力する。
【０００９】
ここで、従来の技術の例としての配線システムは、放送信号の選局部と切り替え部を含むヘッドエンドを用いて、同軸ケーブルの本数を少なくするようにしている（例えば、特許文献１参照。）。
【特許文献１】特許第３０４２３３６号公報
【発明の開示】
【発明が解決しようとする課題】
【００１０】
ところで、ＩＰサービスをＵＴＰケーブルにより配線を行うと、ＵＴＰケーブルの種類により伝送帯域が決定される。そのため、伝送速度を変更する場合に、柔軟性や拡張性の面から負担が多くなる。
【００１１】
また、ＵＴＰケーブルはコネクタ成端の作業性や曲げ耐性を含む施工性が低いため、施工コストが増大する。
【００１２】
一方、異なる複数の放送信号を同軸ケーブルにより配線を行うと、放送サービスの数に応じて同軸ケーブルの本数が必要になる。そのため、同軸ケーブルを敷設する場合に、コスト性や作業性の面から負担が多くなる。
【００１３】
また、ＶＨＦ放送とＢＳ放送の場合のように異なる伝送帯域をもつ放送サービスを一本の同軸ケーブルを用いて伝送することは可能であるが、この場合には各伝送帯域によって伝送損失が異なるため、増幅器や分配器を伝送距離や分岐数に応じて配置しなければならない。
【００１４】
さらに、前記特許文献１において、ケーブルを他のサービスと共有するため端末コントローラ等の機器が必要となる。また、電気信号を用いるので、周辺へのノイズの発生や、周辺ノイズの影響を受ける等の問題がある。
【００１５】
本発明は上記の事情に鑑みてなされたもので、配線媒体数の削減を図るとともに、配線形態の煩雑さを抑制することにより、施工性の向上と施工コストの削減を実現する光ファイバ伝送システムを提供することを目的とする。
【課題を解決するための手段】
【００１６】
上記目的を達成するために本発明は、放送サービスおよびＩＰサービスやユーザにそれぞれ波長を割り当て、一本の光ファイバを介して波長分割多重伝送する光ファイバ伝送システムにおいて、ユーザ宅内で光配線する各部屋にそれぞれ異なる波長を割り当て一本の光ファイバを介して波長分割多重伝送することを特徴とするものである。
【００１７】
また本発明は、放送サービスおよびＩＰサービスやユーザにそれぞれ波長を割り当て、一本の光ファイバを介して波長分割多重伝送する光ファイバ伝送システムにおいて、ユーザ宅内で光配線する各部屋に少なくとも一つのサービスに対してすべて異なる波長を割り当て一本の光ファイバを介して波長分割多重伝送することを特徴とするものである。
【００１８】
また本発明は、前記光ファイバ伝送システムにおいて、ユーザ宅内で光スプリッタを用いて各部屋に光配線することを特徴とするものである。
【００１９】
また本発明は、前記光ファイバ伝送システムにおいて、光ファイバを介して伝送される光信号は、ＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ）システムの波長帯、および６５０ｎｍ帯、７８０ｎｍ帯、８５０ｎｍ帯のうち少なくとも一つの波長帯に属する波長をもつことを特徴とするものである。
【００２０】
また本発明は、前記光ファイバ伝送システムにおいて、伝送される光信号から、ユーザ宅内の各部屋において所定の波長を取り出すことができる機能を具備することを特徴とするものである。
【発明の効果】
【００２１】
本発明は、例えば各部屋にそれぞれ光伝送される光信号に対してすべて異なる波長を割り当て、一本の光ファイバを介してＷＤＭ伝送できる光ファイバ伝送システムを提供することができる。また、ＩＰサービスと放送サービスの光信号に対して異なる波長を割り当て、一本の光ファイバを介してＷＤＭ伝送し、光スプリッタを用いて各部屋に光配線することができる光ファイバ伝送システムを提供することができる。
【発明を実施するための最良の形態】
【００２２】
以下図面を参照して本発明の実施の形態例を詳細に説明する。
図１は本発明の実施形態例に係る光ファイバ伝送システムを示す構成説明図である。図１において、ＶＨＦ放送用アンテナ３１およびＵＨＦ放送用アンテナ３２はＵ／Ｖ混合器（ＵＨＦ／ＶＨＦ混合器）３３を介して同軸ケーブルによりユーザ宅内のブースタ３４の入力端に接続される。前記ブースタ３４の入力端にはＢＳ放送およびＣＳ１１０度放送兼用アンテナ３５が接続される。前記ブースタ３４の出力端は情報分電盤３６のメディアコンバータ（Ｖ−ＭＣ）３７の入力端に接続され、前記メディアコンバータ（Ｖ−ＭＣ）３７の出力端は光ファイバケーブルによりＷＤＭ（波長分割多重）装置３８の入力端に接続される。
【００２３】
一方、ネットワークに接続された光ファイバ３８は屋外キャビネット３９を介してユーザ宅内の光終端装置（Ｂ−ＯＮＵ）４０の一端に接続される。前記光終端装置（Ｂ−ＯＮＵ）４０の他端はＵＴＰケーブル４１によりルータ４２の一端に接続され、前記ルータ４２のＩＰアドレスによって割り振られた他端にはそれぞれ対応してメディアコンバータ（ＭＣ１，ＭＣ２，ＭＣ３）４３の一端が接続される。前記各メディアコンバータ（ＭＣ１，ＭＣ２，ＭＣ３）４３の他端はＷＤＭ（波長分割多重）装置３８の一端に接続される。
【００２４】
前記ＷＤＭ（波長分割多重）装置３８の他端はスプリッタ４４を介して一本の光ファイバにより各部屋１，２，３のＷＤＭ（波長分割多重）装置４５の一端にそれぞれ対応して接続され、前記各ＷＤＭ（波長分割多重）装置４５の他端にはそれぞれ対応して光アウトレット４６が接続される。前記光アウトレット４６にはパソコン４７、テレビ受信機４８、あるいはＩＰ電話４９がそれぞれ対応して接続される。図１中、λ１〜λ７は波長である。
【００２５】
すなわち、放送サービスおよびＩＰサービスやユーザにそれぞれ波長を割り当て、一本の光ファイバを介して波長分割多重伝送する光ファイバ伝送システムにおいて、ユーザ宅内で光配線する各部屋にそれぞれ異なる波長を割り当て一本の光ファイバを介して波長分割多重伝送する。
【００２６】
このようにユーザ宅内で光配線する各部屋にそれぞれ異なる波長を割り当てることができるため、各部屋で利用するサービスの種類や速度の違いによる配線形態の煩雑さを抑制することができ、さらに施工性の向上と施工コストの削減を実現することができる。また、光ファイバを介して伝送できる波長は無数にあるため、波長数を限定することなく利用することができる。
【００２７】
また、ユーザ宅内で光配線する各部屋に少なくとも一つのサービスに対してすべて異なる波長を割り当て一本の光ファイバを介して波長分割多重伝送する。
このように、ユーザ宅内で光配線する各部屋に少なくとも一つのサービスに対してすべて異なる波長を割り当てることができるため、各部屋で利用する同じサービスの速度や端末の違いによる配線形態の煩雑さを抑制することができ、さらに施工性の向上と施工コストの削減を実現することができる。また、光ファイバを介して伝送できる波長は無数にあるため、波長数を限定することなく利用することができる。
【００２８】
また、図１の光ファイバ伝送システムにおいて、ユーザ宅内で光スプリッタを用いて各部屋に光配線する。
このように、一本の光ファイバを用いてＷＤＭ伝送された光信号を、各部屋にすべて同じ波長をもった光信号として伝送することができる。
【００２９】
また、図１の光ファイバ伝送システムにおいて、光ファイバを介して伝送される光信号は、ＣＷＤＭシステムの波長帯、および６５０ｎｍ帯、７８０ｎｍ帯、８５０ｎｍ帯のうち少なくとも一つの波長帯に属する波長をもっている。
したがって、電気信号を光信号に変換する光源として、ＣＷＤＭ伝送システムで用いられる分布帰還型レーザ（ＤＦＢ−ＬＤ）、および６５０ｎｍ帯のＤＶＤ（Ｄｉｇｉｔａｌ  Ｖｅｒｓａｔｉｌｅ  Ｄｉｓｃ）用ピックアップ光源、７８０ｎｍ帯のＣＤ（Ｃｏｍｐａｃｔ  Ｄｉｓｃ）用ピックアップ光源、８５０ｎｍ帯のＬＡＮ（Ｌｏｃａｌ  Ａｒｅａ  Ｎｅｔｗｏｒｋ）用光源、特に面発光型レーザ（ＶＣＳＥＬ）を利用することにより、大幅にコスト低減された経済的なシステムを構成することができる。
【００３０】
また、図１の光ファイバ伝送システムにおいて、伝送される光信号から、ユーザ宅内の各部屋において所定の波長を取り出すことができる。
したがって、光ファイバを介して伝送される光信号から、各部屋のサービスの種類、速度、端末に応じて所定の波長を取り出すことができる。
【００３１】
一例として、ＶＨＦ放送、およびＵＨＦ放送、ＢＳ／ＣＳ１１０度放送の放送信号を受信し、波長１．３１μｍに変換した光信号と、光終端装置（Ｂ−ＯＮＵ）から出力されるＩＰサービスの電気信号をルータのＩＰアドレスによって割り振られ、複数の出力部分からの電気信号を電気／光変換器により波長１．５μｍ帯の複数の異なる波長をもつ光信号をＷＤＭ伝送する光ファイバ伝送システムを利用することができる。さらに、光スプリッタを用いているために、各部屋の光信号に波長を割り当てることができる光ファイバ伝送システムを利用することができる。この場合、ＩＰサービスに割り当てられる各波長はＣＷＤＭ（Ｃｏａｒｓｅ  Ｗａｖｅｌｅｎｇｔｈ  Ｄｉｖｉｓｉｏｎ  Ｍｕｌｔｉｐｌｅｘｉｎｇ）伝送システムの波長帯に属しているため、光源としてＣＷＤＭ用ＬＤ（レーザダイオード）および合分波器としてＣＷＤＭ用フィルタを利用することができる。また、各部屋の端末付近あるいは光アウトレットにおいて光フィルタを用いているために、各部屋のそれぞれの光信号に割り当てられる波長を取り出すことができる。
【００３２】
なお、本発明は、上記実施形態例そのままに限定されるものではなく、実施段階ではその要旨を逸脱しない範囲で構成要素を変形して具体化できる。また、上記実施形態例に開示されている複数の構成要素の適宜な組み合せにより種々の発明を形成できる。例えば、実施形態例に示される全構成要素から幾つかの構成要素を削除してもよい。更に、異なる実施形態例に亘る構成要素を適宜組み合せてもよい。
【図面の簡単な説明】
【００３３】
【図１】本発明の実施形態例に係る光ファイバ伝送システムを示す構成説明図である。
【図２】従来の情報配線システムを示す構成説明図である。
【符号の説明】
【００３４】
３１…ＶＨＦ放送用アンテナ、３２…ＵＨＦ放送用アンテナ、３３…Ｕ／Ｖ混合器（ＵＨＦ／ＶＨＦ混合器）、３４…ブースタ、３５…ＢＳ放送およびＣＳ１１０度放送兼用アンテナ、３６…情報分電盤、３７…メディアコンバータ（Ｖ−ＭＣ）、３８…ＷＤＭ（波長分割多重）装置、３９…屋外キャビネット、４０…光終端装置（Ｂ−ＯＮＵ）、４１…ＵＴＰケーブル、４２…ルータ、４３…メディアコンバータ（ＭＣ１，ＭＣ２，ＭＣ３）、４４…スプリッタ、４５…ＷＤＭ（波長分割多重）装置、４６…光アウトレット、４７…パソコン、４８…テレビ受信機、４９…ＩＰ電話。
【図１】
2006074137.tif 000003
【図２】
2006074137.tif 000004